(57)【要約】      （修正有）【課題】簡単な構造で箱体と緩衝用の仕切りの組み立てがワンタッチで同時に行われ、高い緩衝効果を有し収容物を確実に保護することができる包装用箱を提供する。【解決手段】互いに連接された側面１４，１６，１８，２０と、一開口端部を閉鎖する底部１１７を有する。折り畳まれた状態から各側面１４，１６，１８，２０を立体形状に組み立てると、同時に底部１１７が組み立てられる。内側には、側面１６，２０に交差して設けられ収容物が嵌合される開口部８１が形成された上面片５４と、上面片５４の下方に位置し上面片５４に対して略平行な面を有する保持片７６を備える。上面片５４と保持片７６は、箱体形成片が折り畳まれた状態では、各側面１４，１６，１８，２０に対して略平行であり、立体形状に組み立てられると、同時に側面１６，２０に対して交差する立体形状に組み立てられる。【選択図】図１
2015224060.tif 000002
【特許請求の範囲】
【請求項１】
一枚のブランクシートから一体的に打ち抜かれた箱体形成片から成り、互いに連接された側面と、組立状態で連接された側面で形成される一開口端部を閉鎖する底部が設けられ、前記箱体形成片が糊付けされて折り畳まれた状態から前記各側面を立体形状に組み立てると、同時に前記底部が組み立てられ、前記包装用箱の内側には、前記側面に交差して設けられ収容物が嵌合される開口部が形成されている上面片と、前記上面片の下方に位置し前記上面片に対して略平行な面を有する保持片が設けられ、前記上面片と前記保持片は、前記箱体形成片が糊付けされて折り畳まれた状態では前記各側面に対して略平行であり、前記各側面を立体形状に組み立てて、前記底部が組み立てられると同時に前記側面に対して交差する立体形状に組み立てられることを特徴とする包装用箱。
【請求項２】
前記底部分は、前記一側面に連続し前記底部分の一部を形成する第一底蓋片と、前記第一底蓋片が延出した側面に対向する側面から延出した第二底蓋片と、前記第二底蓋片と前記第二底蓋片の間に位置する一対の側面から延出した一対の底フラップと、前記一対の底フラップに形成され隣接する前記第一底蓋片または前記第二底蓋片に糊付けされる底部糊付片が設けられ、前記第一底蓋片の端部には、組立状態で前記第一底蓋片に交差して設けられる立上片と、前記立上片に折り返して糊付けされる折返片と、前記折返片から折り曲げられて交差する前記上面片と、前記上面片から折り曲げられて交差し前記第二底蓋片が延出した側面に糊付けされる仕切り用糊付け片が、順に折罫線を介して連接して設けられ、前記上面片と前記仕切り用糊付け片には、連接方向に沿う一対の切断線が設けられ、前記一対の切断線の内側には、前記上面片の内側に位置する折罫線と、前記仕切り用糊付け片の内側に位置する折罫線が設けられ、前記切断線と前記一対の折罫線で囲まれた部分は前記保持片となる請求項１記載の包装用箱。
【請求項３】
上面片には前記一対の切断線に沿って透孔が設けられ、前記透孔は、前記保持片が組み立てられて前記上面片から離れた時に開口する部分に連通して収容物を嵌合する前記開口部となる請求項１または２記載の包装用箱。
【請求項４】
前記第二底蓋片にはロック片が側方に突出して設けられ、前記第一底蓋片には、前記底部が組み立てられた状態で前記ロック片が係止する端部が設けられている請求項１または２記載の包装用箱。
【発明の詳細な説明】
【技術分野】
【０００１】
この発明は、箱体の内側に緩衝用の仕切りが一体に設けられ、筒状の瓶などの収容物を保護する緩衝仕切り付包装用箱に関する。
【背景技術】
【０００２】
従来から、化粧水や薬液、清涼飲料等を瓶に入れた商品は、紙製等の包装用箱に収容され、運搬、保管、陳列がされているものがある。このような包装用箱は、収容した瓶などを保護し、中でがたつかないように、包装用箱内を仕切る緩衝用の仕切りが設けられている。
【０００３】
例えば、特許文献１に開示されている緩衝機能付包装用箱は、一枚のブランクシートから一体的に打ち抜かれた箱体形成片からなり、互いに連接された側面と、組立状態で連接された側面で形成される一開口端部を閉鎖する第一底蓋片、第二底蓋片底蓋が設けられている。第一底蓋片には、立上片が交差して設けられ、立上片の上端部から折罫線を介して設けられ側面の一つに連続する上面片が設けられている。立上片と上面片の折罫線上には、収容物が嵌合される打ち抜き部を備えているこの緩衝機能付包装用箱は、箱体形成片を立体的形状に組み立てた時、立上片と上面片が自動的に立体的形状になり、ワンタッチで組み立てられるものである。
【０００４】
また、特許文献２に開示されている緩衝仕切り付包装用箱は、外箱体の内側に、底部形成板と保持部形成板から成る緩衝用仕切り部を、折り畳み可能に備えるものである。底部形成板は、正面板から延設された連結部と、連結部の上端から連続し底蓋と対面する底部と、底部から連続して立ち上がる第一仕切部を有する。保持部形成板は、第一支持部から延設された第二支持部と、第二支持部の上端から連続し底部と対面する保持部と、保持部から連続して立ち上がり第一仕切部とも連続する第二仕切部を有する。保持部には、収容物を挿通可能な透孔を備えている。
【先行技術文献】
【特許文献】
【０００５】
【特許文献１】特開２０１１−２１９１５３号公報
【特許文献２】特開２０１２−１２０２６号公報
【発明の概要】
【発明が解決しようとする課題】
【０００６】
上記背景技術の場合、特許文献１は、立上片と上面片の折罫線上に設けられた打ち抜き部に収容物が嵌合されるため、収容物の底部を、打ち抜き部の周縁部のブランクシートの断面で面に沿った方向に支持して支えるため、緩衝効果が十分ではない。また、特許文献２は、緩衝片の底部の面で収容物を支えるため、緩衝効果がより高いものであるが、箱体を立体的形状に組み立てる工程と、緩衝用仕切り部を立体的形状に組み立てる工程の２工程が必要であり、組み立てに手間がかかるものである。
【０００７】
この発明は、上記背景技術の問題点に鑑みてなされたものであり、簡単な構造で箱体と緩衝用の仕切りの組み立てがワンタッチで同時に行われ、商品を包装する作業が容易となり、また高い緩衝効果を有し収容物を安全に保管することができる包装用箱を提供することを目的とする。
【課題を解決するための手段】
【０００８】
本発明は、一枚のブランクシートから一体的に打ち抜かれた箱体形成片から成り、互いに連接された側面と、組立状態で連接された側面で形成される一開口端部を閉鎖する底部が設けられ、前記箱体形成片が糊付けされて折り畳まれた状態から前記各側面を立体形状に組み立てると、同時に前記底部が組み立てられる包装用箱である。前記包装用箱の内側には、前記側面に交差して設けられ収容物が嵌合される開口部が形成されている上面片と、前記上面片の下方に位置し前記上面片に対して略平行な面を有する保持片が設けられ、前記上面片と前記保持片は、前記箱体形成片が糊付けされて折り畳まれた状態では前記各側面に対して略平行であり、前記各側面を立体形状に組み立てて、前記底部が組み立てられると同時に前記側面に対して交差する立体形状に組み立てられるものである。
【０００９】
前記底部分は、前記一側面に連続し前記底部分の一部を形成する第一底蓋片と、前記第一底蓋片が延出した側面に対向する側面から延出した第二底蓋片と、前記第二底蓋片と前記第二底蓋片の間に位置する一対の側面から延出した一対の底フラップと、前記一対の底フラップに形成され隣接する前記第一底蓋片または前記第二底蓋片に糊付けされる底部糊付片が設けられている。前記第一底蓋片の端部には、組立状態で前記第一底蓋片に交差して設けられる立上片と、前記立上片に折り返して糊付けされる折返片と、前記折返片から折り曲げられて交差する前記上面片と、前記上面片から折り曲げられて交差し前記第二底蓋片が延出した側面に糊付けされる仕切り用糊付け片が、順に折罫線を介して連接して設けられ、前記上面片と前記仕切り用糊付け片には、連接方向に沿う一対の切断線が設けられ、前記一対の切断線の内側には、前記上面片の内側に位置する折罫線と、前記仕切り用糊付け片の内側に位置する折罫線が設けられ、前記切断線と前記一対の折罫線で囲まれた部分は前記保持片となるものである。
【００１０】
上面片には前記一対の切断線に沿って透孔が設けられ、前記透孔は、前記保持片が組み立てられて前記上面片から離れた時に開口する部分に連通して収容物を嵌合する前記開口部となるものである。
【００１１】
前記第二底蓋片にはロック片が側方に突出して設けられ、前記第一底蓋片には、前記底部が組み立てられた状態で前記ロック片が係止する端部が設けられている。
【発明の効果】
【００１２】
本発明の包装用箱は、簡単な構造で底部と緩衝用の仕切り片の組み立てがワンタッチで確実に行われ、容易に入れることができ、高い緩衝効果を有し収容物を安全に包装することができる。また、底部が開けにくい構造であり、高い改ざん防止効果を有するものである。
【図面の簡単な説明】
【００１３】
【図１】この発明の一実施形態の包装用箱の斜視図である。
【図２】この実施形態の包装用箱の右側面図である。
【図３】この実施形態の包装用箱の展開図である。
【発明を実施するための形態】
【００１４】
以下、この発明の実施形態について図面に基づいて説明する。図１〜図３はこの発明の一実施形態を示すもので、この実施形態の包装用箱１０は、紙製等の一枚のブランクシートを打ち抜いて形成された箱体形成片１２を組み立てて設けられている。
【００１５】
図３は、箱体形成片１２を表面から見た展開図であり、箱体形成片１２は、側面１４，１６，１８，２０が、互いに平行に連接して形成されている。側面１４，１６，１８，２０は、連接方向と直行する幅方向の長さは同じ長さであり、それと直交する連接方向の長さは、側面１４，１８が短くて互いにほぼ等しく、側面１６，２０が長くて互いにほぼ等しい。側面１４の側縁部には、包装用箱１０の組立状態で側面２０の裏面に糊付けされる糊付片２２が設けられている。糊付片２２、側面１４，１６，１８，２０は、各々折罫線２４，２６，２８，３０で区切られている。
【００１６】
側面１４の、側面同士の連接方向に対して直角な方向の一端部には、台形状の上フラップ３２が折罫線３４で区切られて設けられている。側面１４の、折罫線３４と反対側の端部には、三角形状の底フラップ３６が折罫線３８で区切られて設けられている。底フラップ３６の、側面１６に隣接する傾斜した側縁部には、四角形状の底部糊付片４０が折罫線４２で区切られて設けられている。
【００１７】
側面１６の、側面１４の折罫線３４に隣接する端部１６ａには、端部１６ａの中心をコの字形に囲む開封用の破断線４３が設けられている。側面１６の、端部１６ａと反対側の端部には、第一底蓋片４４が折罫線４６で区切られて設けられている。第一底蓋片４４は、折罫線４６を下底とする変形した矩形に形成され、折罫線４６と折罫線２８の交点付近から折罫線４６に対して直角に位置する側縁部４４ａと、側縁部４４ａの端に連続し折罫線４６に対して平行で折罫線４６より短い端部４４ｂと、端部４４ｂの端に連続し、側縁部４４ａに対して平行で側縁部４４ａより短い側縁部４４ｃと、側縁部４４ｃの端に連続し折罫線４６に対して平行で短い端部４４ｄと、端部４４ｄの端に連続し折罫線４６と折罫線２６の交点に連続し折罫線４６に対して傾斜する側縁部４４ｅで設けられている。第一底蓋片４４の折罫線４６から端部４４ｄまでの長さは、側面１４，１８の連接方向長さの約半分に設けられている。
【００１８】
第一底蓋片４４の端部４４ｂには、緩衝用の仕切り片４８が設けられている。仕切り片４８は、立上片５０、折返片５２、上面片５４、仕切り用糊付け片５６が互いに平行に連接して形成されている。連接方向は、各側面の連接方向に対して直角であり、連接している幅方向は、いずれも折罫線４６より少し短い一定の幅であり、第一底蓋片４４の側縁部４４ａの延長線上に沿って設けられている。
【００１９】
立上片５０は、第一底蓋片４４の端部４４ｂに、折罫線５８で区切られて設けられ、側面１６より少し小さい矩形である。立上片５０の形状は、第一底蓋片４４の、側縁部４４ａの延長線上に位置する側縁部５０ａと、側縁部５０ａの端に連続し折罫線５８に対して平行で後述する折罫線５８より長い端部５０ｂと、端部５０ｂの端に連続し側縁部５０ａに対して平行で側縁部５０ａより短い側縁部５０ｃと、側縁部５０ｃの端に連続し折罫線５８と側縁部４４ｃの交点に連続し側縁部５０ｃ及び折罫線５８に対して傾斜して交差する側縁部５０ｄにより形成されている。
【００２０】
折罫線５８の中心付近には、台形状の切込線６０が設けられている。切込線６０は、立上片５０に向かって突出し、第一底蓋片４４に向かって広がるように開口し、台形状の切込線６０の下底部分である内側には、折罫線５８が設けられていない。切込線６０の内側は、包装用箱１０の組立状態で第一底蓋片４４から面一に突出する突起６２となる。切込線６０の中心には、突起６２が立上片５０から離れやすいように短い切込線が立上片５０の中心に向って設けられている。
【００２１】
立上片５０の端部５０ｂには、折返片５２、上面片５４、仕切り用糊付け片５６が、折罫線６４，６６，６８で区切られて順に設けられている。連接方向の長さは、折返片５２が短く、上面片５４は折返片５２よりも長く、仕切り用糊付け片５６の連接方向長さは、折罫線５８，６４間の間隔から折罫線６４，６６間の距離を引いた長さとほぼ等しい。上面片５４の連接方向長さは、第一底蓋片４４の連接方向長さとほぼ等しく設けられている。従って、折返片５２と仕切り用糊付け片５６を足した長さは、立上片５０とほぼ等しい長さである。
【００２２】
折返片５２と上面片５４を区切る折罫線６６の中央部には、連接方向に対して平行に延びた一対の切断線７０が設けられ、切断線７０の先端は、仕切り用糊付け片５６の端部５６ａ近傍まで達し、切断線７０の先端には、一対の切断線７０同士を連結する折罫線７１が設けられている。一対の切断線７０の基端部である折返片５２との境界部分には、折罫線６６設けられず、中間部分の上面片５４と仕切り用糊付け片５６との境界部分の折罫線６８も設けられていない。そして、一対の切断線７０間の、折罫線６８よりも折罫線６６に近く上面片５４内の位置に、切断線７０に対して直角に位置する折罫線７２が設けられている。また、上面片５４には、折返片用糊付け片７４の両側に沿って透孔７９が各々設けられている。透孔７９は、半円形に上面片５４を打ち抜いたものであり、折返片用糊付け片７４から離れる方向へ湾曲して膨出した形状である。
【００２３】
一対の切断線７０と、折罫線７２，６４で囲まれた部分は、立上片５０に糊付けされる折返片用糊付け片７４となる。一対の切断線７０と、折罫線７２と折罫線７１で囲まれた部分は、後述する収容物１１８の底部を保持する保持片７６となる。保持片７６の中心には、切断線７０に対して平行な折罫線７８が設けられ、保持片７６の剛性を高めて曲がりにくくしている。
【００２４】
側面１８の、側面１６の端部１６ａに連接する端部には、台形状の上フラップ８０が折罫線８２で区切られて設けられている。側面１８の、折罫線８２と反対側の端部には、三角形状の底フラップ８４が折罫線８６で区切られて設けられている。底フラップ８４の、側面２０に隣接する傾斜した側縁部には、四角形状の底部糊付片８８が折罫線９０で区切られて設けられている。
【００２５】
側面２０の、側面１８の折罫線８２に連接する端部には、上蓋片９２が折罫線９４で区切られて設けられている。上蓋片９２の折罫線９４の反対側の端部には、さらに差込片９６が折罫線９８で区切られて設けられている。差込片９６の先端部分には、円形の凹部１００が設けられている。側面２０の、折罫線９４と反対側の端部には、第二底蓋片１０２が折罫線１０４で区切られて設けられている。第二底蓋片１０２は、折罫線１０４を下底とする台形状に形成され、折罫線１０４から折罫線１０４に対して平行な端部１０２ａまでの長さは、側面１４，１８の連接方向長さの約半分に設けられている。端部１０２ａには、側面１８から離れた位置に、外側に突出する小形の四角形状のロック片１０６が一体に設けられている。
【００２６】
なお、上述の各折罫線には、折り曲げやすくするために、破断線が設けられてもよい。
【００２７】
次に、この実施形態の包装用箱１０の組立方法の一例について説明する。ここでは図３が包装用箱１０の箱体形成片１２の表面を見たものであり、箱体形成片１２の表面が凸になる折り方を正折り、そして裏面が凸になる折り方を逆折りと称する。
【００２８】
まず、折返片５２と折返片用糊付け片７４の裏面に糊１０８を塗布する。糊１０８は、折返片用糊付け片７４の長手方向に沿う直線状で折罫線７２の近傍から折罫線６４の近傍に達して塗布する。
【００２９】
次に、折罫線６４を正折りして折返片５２と折返片用糊付け片７４の裏面を立上片５０の裏面に糊付けする。そして、仕切り用糊付け片５６の表面に糊１１０を塗布する。糊１１０は、仕切り用糊付け片５６の、保持片７６以外の部分で両側に２か所塗布する。次に折罫線４６を正折りし、仕切り用糊付け片５６の表面を側面１６の裏面に糊付けする。さらに、底部糊付片４０，８８の裏面に糊１１２，１１４を塗布し、折罫線４２，９０を逆折りし、折罫線３８，８６を正折りする。また、第二底蓋片１０２を折罫線１０４で正折する。
【００３０】
次に、糊付片２２の表面に糊１１６を塗布し、折罫線２６を正折りし、次に折罫線３０を正折りし、側面２０の裏面が糊付片２２の表面に糊付けされる。このとき、底部糊付片４０は糊１１２により第一底蓋片４４表面に糊付けされ、底部糊付片８８は糊１１４により第二底蓋片１０２表面に糊付けされる。これにより箱体形成片１２は折り畳み状態となり、この折り畳んだ状態で出荷される。
【００３１】
次に、収容物１１８を収容し包装する工場等に置いて、折罫線２４，２６，２８，３０を各々９０°に正折りして四角形の箱体にする。このとき、底フラップ３６の底部糊付片４０は第一底蓋片４４に、底フラップ８４の底部糊付片８８は第二底蓋片１０２に糊付けされているため、二つ折りされていた折罫線３８，４６，８６，１０４は自動的に引き起こされてほぼ９０°に開き、底部１１７が形成される。そして、第二底蓋片１０２のロック片１０６は、第一底蓋片４４の端部４４ｄの裏面に重ねられ、戻る方向には側縁部４４ｃが当接する。これにより、底部１１７は折り畳み状態に戻ることを防ぎ、確実にロックされ箱体の底部１１７の形状を保つ。
【００３２】
また、第一底蓋片４４が側面１６から引き起こされて９０°に開くとき、折罫線５８で立上片５０は第一底蓋片４４から９０°に折り曲げられて立ち上がる。折罫線５８は、突起６２が設けられている部分以外で、容易に折れ曲がり、突起６２は第二底蓋片１０２の裏面に重ねられる。
【００３３】
立上片５０が底部１１７から立ち上がるように組み立てられることにより、立上片５０に糊付けされた折返片５２と折返片用糊付け片７４は側面１６から離れ、上面片５４は、折罫線６６で逆折りされ、さらに折罫線６８で正折りされ、底部１１７に対してほぼ平行となる。そして、上面片５４の中央部分から折返片用糊付け片７４と保持片７６が離れて開口し、保持片７６は折罫線７２で逆折りされ、さらに折罫線７１で正折りされ、底部１１７と上面片５４に対してほぼ平行となり、上面片５４の下方に位置する。上面片５４の中心部分は、折返片用糊付け片７４と保持片７６が離れて開口し、一対の透孔７９と連通して大きい略円形の開口部８１となる。このように、仕切り片４８が立体的に組み立てられ、図１、図２に示すように包装用箱１０が組み立てられる。
【００３４】
この状態で、収容物１１８を箱体の中に入れる。収容物１１８は、上面片５４に開口された開口部８１に底部から差し込み保持片７６に当接してセットする。なお、開口部８１は、収容物１１８の側面をわずかな隙間を有して嵌合する大きさである。立上片５０と側面２０の間には空間１１９が形成され、収容物１１８の取扱説明書１２０等を収納する。
【００３５】
次に、折罫線３４，８２でフラップ３２，８０を正折りし、その後折罫線９４で上蓋片９２を正折りし、さらに折罫線９８を正折りして差込片９６を側面１６の内側に差し込み、閉鎖する。側面１６の破断線４３の内側の部分と、差込片９６を糊付けしてもよい。
【００３６】
この実施形態の包装用箱１０によれば、簡単な構造で、ワンタッチで箱体と底部１１７を形成すると同時に、仕切り片４８を所定角度に自動的に組み立てることができる。第二底蓋片１０２のロック片１０６が、第一底蓋片４４の側縁部４４ｃに当接し係止されることにより、組み立てた包装用箱１０が平坦な折り畳み状態に後戻りせず、組立作業の効率が良好となる。
【００３７】
また、収容物１１８は、開口部８１の周縁部に嵌合され、運搬中に水平方向に衝撃が加えられてもがたつくことがなく緩衝効果が高い。収容物１１８の底部を保持片７６が面で支えるため、上下方向に衝撃が加えられても確実に保持することができる。保持片７６は、上下方向に衝撃が加えられたときわずかにたわむためクッション性があり、安全性が高い。保持片７６は、長手方向に折罫線７８が設けられ、曲げに対する剛性を高めて、収容物１１８を支持可能に形成されている。さらに、収容物１１８は側面１４，１６，１８，２０等、箱体の外側面に接触することがなく、外側面から衝撃が加えられても影響が小さく、破損を防ぐことができる。
【００３８】
包装用箱１０は、ロック片１０６が第一底蓋片４４の端部４４ｄに係止され、さらに第一底蓋片４４は端部４４ｂが第二底蓋片１０２の端部１０２ａを超えて折罫線１０４近傍に達しているため、第一底蓋片４４と第二底蓋片１０２の係合を外側から外すことができず、高い改ざん防止効果を有するものである。第一底蓋片４４と第二底蓋片１０２を上に押して開けようとすると、仕切り片４８も上がるため、この点からも改ざんを防止することができる。
【００３９】
包装用箱１０は、機械による自動組立や手作業の組立のいずれによっても安定して組み立てることができる。包装用箱１０を立体形状に組み立てると、収容物１１８を入れる開口部８１と、取扱説明書１２０を入れる空間１１９が別に開口されるため、どちらを先に挿入してもよく、挿入順番を限定せず作業効率が良い。折罫線５８に突起６２が設けられているため、折罫線５８を容易に正折することができ、突起６２が第二底蓋片１０２に重ねられて強度が高くなるとともに立上片５０が安定して立ち上がる。
【００４０】
なお、この発明の包装用箱は、上記実施形態に限定されるものではなく、仕切り片は、第一底蓋片以外の部材に連続して設けられてもよく、各部材の形状は収容物の形状や数に合わせて適宜変更可能である。箱体形成片の素材も、紙や合成樹脂など、適宜変更可能である。ロック片の形状も自由であり、確実に他部材に係止されるものであれば良い。
【符号の説明】
【００４１】
１０  包装用箱
１２  箱体形成片
１４，１６，１８，２０  側面
２２  糊付片
３６，８４  底フラップ
４０，８８  底部糊付片
４４  第一底蓋片
４４ｄ  端部
４８  仕切り片
５０  立上片
５２  折返片
５４  上面片
５６  仕切り用糊付け片
７０  切断線
７１，７２  折罫線
７６  保持片
７９  透孔
８１  開口部
１０６  ロック片
１１７  底部
【図１】
2015224060.tif 000003
【図２】
2015224060.tif 000004
【図３】
2015224060.tif 000005